(57)【要約】【課題】ロックアップ装置に設けられたダイナミックダンパ装置において、軸方向の占有スペースを小さくでき、かつ十分な慣性量を確保できるようにする。【解決手段】この装置は、クラッチ部２８と、ドリブンプレート３７と、複数のトーションスプリング２９，３１と、ダイナミックダンパ装置３３と、を備えている。クラッチ部２８はフロントカバー２からのトルクを出力側に伝達する。ドリブンプレート３７は、クラッチ部２８と相対回転自在であり、タービン４に連結される。複数のトーションスプリング２９，３１はクラッチ部２８とドリブンプレート３７とを弾性的に連結する。ダイナミックダンパ装置３３は、トーションスプリング２９，３１の外周側に配置されたイナーシャリング４６，４７を有し、中間部材３０に連結されて回転速度変動を減衰する。【選択図】図１
2015014355.tif 000002
【特許請求の範囲】
【請求項１】
エンジン側の部材に連結されるフロントカバーとトルクコンバータ本体との間に配置され、前記フロントカバーからのトルクを前記トルクコンバータ本体のタービンに直接伝達するためのロックアップ装置であって、
前記フロントカバーからのトルクを出力側に伝達するクラッチ部と、
前記クラッチ部と相対回転自在であり、前記タービンに連結された出力回転部材と、
前記クラッチ部と前記出力回転部材とを回転方向に弾性的に連結するための複数のトルク伝達用弾性部材と、
前記複数のトルク伝達用弾性部材の外周側に配置されたイナーシャ部材を有し、前記クラッチ部から前記出力回転部材に至る動力伝達経路を構成する部材のいずれかに連結されて回転速度変動を減衰するダイナミックダンパ装置と、
を備えたトルクコンバータのロックアップ装置。
【請求項２】
前記イナーシャ部材は前記トルクコンバータ本体より径方向外側に配置されている、請求項１に記載のトルクコンバータのロックアップ装置。
【請求項３】
前記クラッチ部は、
軸方向に移動自在な円板状のピストンと、
前記ピストンの外周部側面に固定され、前記フロントカバーに圧接可能な摩擦部材と、
を有し、
前記イナーシャ部材は、前記ピストンの前記フロントカバーとは逆側において前記摩擦部材と径方向において重なる位置に配置されている、
請求項１又は２に記載のトルクコンバータのロックアップ装置。
【請求項４】
前記トルク伝達用弾性部材は、複数の外周側トーションスプリングと、前記複数の外周側トーションスプリングの内周側に配置された複数の内周側トーションスプリングと、を有し、
前記イナーシャ部材は前記複数の外周側トーションスプリングの外周側に配置されている、
請求項１から３のいずれかに記載のトルクコンバータのロックアップ装置。
【請求項５】
前記クラッチ部及び前記出力回転部材と相対回転自在であり、前記複数の外周側トーションスプリングの少なくとも１つと前記複数の内周側トーションスプリングの少なくとも１つとを直列的に作用させるための中間部材をさらに有し、
前記ダイナミックダンパ装置は前記中間部材に連結されている、
請求項４に記載のトルクコンバータのロックアップ装置。
【請求項６】
前記ダイナミックダンパ装置は、
前記クラッチ部から前記出力回転部材に至る動力伝達経路を構成する部材のいずれかに連結されたダンパプレートと、
前記ダンパプレートと前記イナーシャ部材とを弾性的に連結する複数のダイナミックダンパ用弾性部材と、
をさらに有し、
前記イナーシャ部材は、軸方向に分割され互いに軸方向に対向する収容凹部を有する第１及び第２イナーシャリングを有し、
前記複数のダイナミックダンパ用弾性部材は前記第１及び第２イナーシャリングの収容凹部に収容されている、
請求項１から５のいずれかに記載のトルクコンバータのロックアップ装置。
【発明の詳細な説明】
【技術分野】
【０００１】
本発明は、ロックアップ装置、特に、エンジン側の部材に連結されるフロントカバーとトルクコンバータ本体との間に配置され、フロントカバーからのトルクをトルクコンバータ本体のタービンに直接伝達するためのトルクコンバータのロックアップ装置に関する。
【背景技術】
【０００２】
トルクコンバータにおいては、燃費低減のためにロックアップ装置が設けられている。ロックアップ装置は、タービンとフロントカバーとの間に配置されており、フロントカバーとタービンとを機械的に連結して両者の間でトルクを直接伝達するものである。
【０００３】
ロックアップ装置は、一般に、ピストンとダンパ機構とを有している。ピストンは、油圧の作用によってフロントカバーに押し付けられ、フロントカバーからトルクが伝達される。また、ダンパ機構は複数のトーションスプリングを有しており、この複数のトーションスプリングによって、ピストンとタービンに連結された出力側の部材とが弾性的に連結されている。このようなロックアップ装置では、ピストンに伝達されたトルクは、複数のトーションスプリングを介して出力側の部材に伝達され、さらにタービンに伝達される。
【０００４】
また、特許文献１には、出力側の部材にイナーシャ部材を装着することにより、エンジンの回転変動を抑えるようにしたロックアップ装置が示されている。この特許文献１に示されたロックアップ装置は、タービンに固定された出力部材に相対回転可能にイナーシャ部材が装着されている。また、出力部材とイナーシャ部材との間には弾性部材としてのトーションスプリングが設けられている。
【０００５】
この特許文献１のロックアップ装置では、出力部材にトーションスプリングを介してイナーシャ部材が連結されているため、イナーシャ部材及びトーションスプリングがダイナミックダンパとして機能し、これらによって出力側の部材（タービン）の回転速度変動が減衰される。
【先行技術文献】
【特許文献】
【０００６】
【特許文献１】特開２００９−２９３６７１号公報
【発明の概要】
【発明が解決しようとする課題】
【０００７】
特許文献１のロックアップ装置では、ピストンのタービン側にロックアップ装置のダンパ機構が配置されており、このダンパ機構のさらにタービン側にダイナミックダンパ装置を構成するイナーシャリングが配置されている。
【０００８】
以上のような従来のダイナミックダンパ装置では、特にイナーシャリングを配置するために軸方向に大きなスペースが必要となる。また、イナーシャリングの軸方向寸法を小さくすれば軸方向の省スペース化を図ることができるが、この場合はイナーシャリングの慣性量が小さくなり、回転速度変動を効果的に抑えることができない。
【０００９】
本発明の課題は、ロックアップ装置に設けられたダイナミックダンパ装置において、軸方向の占有スペースを小さくでき、かつ十分な慣性量を確保できるようにすることにある。
【課題を解決するための手段】
【００１０】
本発明の第１側面に係るトルクコンバータのロックアップ装置は、エンジン側の部材に連結されるフロントカバーとトルクコンバータ本体との間に配置され、フロントカバーからのトルクをトルクコンバータ本体のタービンに直接伝達するための装置である。このロックアップ装置は、クラッチ部と、出力回転部材と、複数のトルク伝達用弾性部材と、ダイナミックダンパ装置と、を備えている。クラッチ部はフロントカバーからのトルクを出力側に伝達する。出力回転部材は、クラッチ部と相対回転自在であり、タービンに連結される。複数のトルク伝達用弾性部材はクラッチ部と出力回転部材とを回転方向に弾性的に連結する。ダイナミックダンパ装置は、複数のトルク伝達用弾性部材の外周側に配置されたイナーシャ部材を有し、クラッチ部から出力回転部材に至る動力伝達経路を構成する部材のいずれかに連結されて回転速度変動を減衰する。
【００１１】
この装置では、クラッチ部がオン（動力伝達状態）の際には、フロントカバーからの動力はクラッチ部に入力され、複数のトルク伝達用弾性部材及び出力回転部材を介してタービンに伝達される。このとき、動力伝達経路を構成する部材のいずれかにダイナミックダンパ装置が連結されており、このダイナミックダンパ装置によって回転速度変動を抑えることができる。
【００１２】
ここでは、ダイナミックダンパ装置を構成するイナーシャ部材がトルク伝達用弾性部材の外周側に配置されている。このため、イナーシャ部材をトルク伝達用弾性部材と軸方向において重なる位置に配置でき、ダイナミックダンパ装置を含むロックアップ装置全体の軸方向スペースを短縮することができる。また、イナーシャ部材を径方向においてより外周側に配置できるので、イナーシャ部材の慣性モーメントを大きくでき、より効果的に回転速度変動を抑えることができる。
【００１３】
本発明の第２側面に係るトルクコンバータのロックアップ装置は、第１側面の装置において、イナーシャ部材はトルクコンバータ本体より径方向外側に配置されている。
【００１４】
ここでは、イナーシャ部材が径方向においてより外周側に配置されているので、前記同様に、イナーシャ部材の慣性モーメントが大きくなり、より効果的に回転速度変動を抑えることができる。
【００１５】
本発明の第３側面に係るトルクコンバータのロックアップ装置は、第１又は第２側面の装置において、クラッチ部は、軸方向に移動自在な円板状のピストンと、摩擦部材と、を有している。摩擦部材は、ピストンの外周部側面に固定され、フロントカバーに圧接可能である。また、イナーシャ部材は、ピストンのフロントカバーとは逆側において摩擦部材と径方向において重なる位置に配置されている。
【００１６】
この場合も、ダイナミックダンパ装置の軸方向スペースを抑えて、ロックアップ装置全体を軸方向の小型化することができる。
【００１７】
本発明の第４側面に係るトルクコンバータのロックアップ装置は、第１から第３側面のいずれかの装置において、トルク伝達用弾性部材は、複数の外周側トーションスプリングと、複数の外周側トーションスプリングの内周側に配置された複数の内周側トーションスプリングと、を有している。また、イナーシャ部材は複数の外周側トーションスプリングの外周側に配置されている。
【００１８】
本発明の第５側面に係るトルクコンバータのロックアップ装置は、第４側面の装置において、クラッチ部及び出力回転部材と相対回転自在であり、複数の外周側トーションスプリングの少なくとも１つと複数の内周側トーションスプリングの少なくとも１つとを直列的に作用させるための中間部材をさらに有している。そして、ダイナミックダンパ装置は中間部材に連結されている。
【００１９】
ここでは、外周側トーションスプリングと内周側トーションスプリングとを中間部材によって直列的に作用させているので、捩じり角度を大きくすることができる。このため、捩じり振動をより抑えることができる。また、ダイナミックダンパ装置を中間部材に連結し、ダイナミックダンパ装置と出力回転部材との間にトーションスプリングが配置されるように構成している。このため、ダイナミックダンパ装置を構成する部材に製造誤差等があってとしても、所望のトルク変動吸収特性を得ることができ、回転変動を効果的に抑えることができる。
【００２０】
本発明の第６側面に係るトルクコンバータのロックアップ装置は、第１から第５側面のいずれかの装置において、ダイナミックダンパ装置は、ダンパプレートと、複数のダイナミックダンパ用弾性部材と、をさらに有している。ダンパプレートはクラッチ部から出力回転部材に至る動力伝達経路を構成する部材のいずれかに連結されている。複数のダイナミックダンパ用弾性部材はダンパプレートとイナーシャ部材とを弾性的に連結する。また、イナーシャ部材は、軸方向に分割され互いに軸方向に対向する収容凹部を有する第１及び第２イナーシャリングを有し、複数のダイナミックダンパ用弾性部材は第１及び第２イナーシャリングの収容凹部に収容されている。
【００２１】
ここでは、２つのイナーシャリングの収容凹部にダイナミックダンパ用弾性部材が収容配置されているので、従来のダイナミックダンパ装置に比較して、ダイナミックダンパ装置の占有スペースを小さくできる。また弾性部材を慣性として機能させることができるので、トルクコンバータ全体の重量の増加を抑えつつ、効果的に回転速度変動を抑えることができる。
【００２２】
また、ここでは、イナーシャ部材が軸方向に分割されており、各イナーシャリングに設けられた収容凹部に弾性部材が配置されている。したがって、弾性部材の組付が容易になる。
【発明の効果】
【００２３】
以上のような本発明では、トルクコンバータのロックアップ装置において、特に軸方向における占有スペースを小さくでき、かつ十分な慣性量を確保することができる。
【図面の簡単な説明】
【００２４】
【図１】本発明の第１実施形態によるロックアップ装置を備えたトルクコンバータの断面構成図。
【図２】図１のロックアップ装置を抽出して示す図。
【図３】図１のダイナミックダンパ装置を抽出して示す図。
【図４】ダイナミックダンパ装置の正面部分図。
【図５】ダイナミックダンパ装置を構成する第１イナーシャリングの正面部分図。
【図６】ダイナミックダンパ装置を構成する第２イナーシャリングの正面部分図。
【図７】エンジン回転数と回転速度変動の特性図。
【図８】本発明の第２実施形態の図１に相当する図。
【図９】図８のロックアップ装置を抽出して示す図。
【発明を実施するための形態】
【００２５】
−第１実施形態−
図１は、本発明の第１実施形態によるロックアップ装置を有するトルクコンバータ１の断面部分図である。図１の左側にはエンジン（図示せず）が配置され、図の右側にトランスミッション（図示せず）が配置されている。なお、図１に示すＯ−Ｏがトルクコンバータ及びロックアップ装置の回転軸線である。
【００２６】
［トルクコンバータの全体構成］
トルクコンバータ１は、エンジン側のクランクシャフト（図示せず）からトランスミッションの入力シャフトにトルクを伝達するための装置であり、入力側の部材に固定されるフロントカバー２と、３種の羽根車（インペラ３、タービン４、ステータ５）からなるトルクコンバータ本体６と、ロックアップ装置７と、から構成されている。
【００２７】
フロントカバー２は、円板状の部材であり、その外周部にはトランスミッション側に突出する外周筒状部１０が形成されている。インペラ３は、フロントカバー２の外周筒状部１０に溶接により固定されたインペラシェル１２と、その内側に固定された複数のインペラブレード１３と、インペラシェル１２の内周側に設けられた筒状のインペラハブ１４とから構成されている。
【００２８】
タービン４は流体室内でインペラ３に対向して配置されている。タービン４は、タービンシェル１５と、タービンシェル１５に固定された複数のタービンブレード１６と、タービンシェル１５の内周側に固定されたタービンハブ１７と、から構成されている。タービンハブ１７は外周側に延びるフランジ１７ａを有しており、このフランジ１７ａにタービンシェル１５の内周部が複数のリベット１８によって固定されている。また、タービンハブ１７の内周部には、図示しないトランスミッションの入力シャフトがスプライン係合している。
【００２９】
ステータ５は、インペラ３とタービン４の内周部間に配置され、タービン４からインペラ３へと戻る作動油を整流するための機構である。ステータ５は主に、ステータキャリア２０と、その外周面に設けられた複数のステータブレード２１と、から構成されている。ステータキャリア２０は、ワンウエイクラッチ２２を介して図示しない固定シャフトに支持されている。なお、ステータキャリア２０の軸方向両側には、スラストベアリング２４，２５が設けられている。
【００３０】
［ロックアップ装置７］
図２に、図１のロックアップ装置７を抽出して示している。ロックアップ装置７は、フロントカバー２とタービン４との間の環状の空間に配置されている。ロックアップ装置７は、クラッチ部２８と、複数の内周側トーションスプリング２９と、中間部材３０と、複数の外周側トーションスプリング３１と、ドリブンプレート（出力回転部材）３２と、ダイナミックダンパ装置３３と、を有している。
【００３１】
＜クラッチ部２８＞
クラッチ部２８は、フロントカバー２に対向して軸方向に移動自在に配置されており、フロントカバー２からの動力が入力される。クラッチ部２８は、ピストン３５と、摩擦部材３６と、ドライブプレート３７と、を有している。
【００３２】
ピストン３５は、環状に形成され、円板部３５ａと、内周筒状部３５ｂと、外周筒状部３５ｃと、を有している。円板部３５ａはフロントカバー２に対向して配置されている。内周筒状部３５ｂは、軸方向に延びており、円板部３５ａの内周部をトランスミッション側に折り曲げて形成されている。そして、この内周筒状部３５ｂがタービンハブ１７の外周面に軸方向移動自在に支持されている。外周筒状部３５ｃは、軸方向に延びており、円板部３５ａの外周部をトランスミッション側に折り曲げて形成されている。外周筒状部３５ｃはフロントカバー２の外周筒状部１０の内周側に位置している。
【００３３】
なお、タービンハブ１７の外周面にはシール部材３９が設けられており、これによりピストン３５の内周筒状部３５ｂとタービンハブ１７の外周面との間がシールされている。
【００３４】
摩擦部材３６は、ピストン３５の円板部３５ａの外周部において、フロントカバー２と対向するように固定されている。ピストン３５が軸方向に移動し、摩擦部材３６がフロントカバー２に押圧されることにより、クラッチオン（動力伝達状態）となる。
【００３５】
＜ドライブプレート３７及び内周側トーションスプリング２９＞
ドライブプレート３７は、円板状の部材であり、内周部がリベット４０によってピストン３５の内周部に固定されている。また、ドライブプレート３７の外周部には複数の窓孔３７ａが形成されている。この複数の窓孔３７ａに複数の内周側トーションスプリング２９が収容されている。
【００３６】
＜中間部材３０及び外周側トーションスプリング３１＞
中間部材３０は、ピストン３５とタービン４との間に配置されており、第１プレート４１と第２プレート４２とから構成されている。第１プレート４１及び第２プレート４２は、環状かつ円板状の部材であり、ドライブプレート３７及びドリブンプレート３２に対して相対回転自在である。第１プレート４１はエンジン側に配置され、第２プレート４２はトランスミッション側に配置されている。第１プレート４１と第２プレート４２とは、複数のリベット４３により互いに相対回転不能でかつ軸方向に移動不能に連結されている。
【００３７】
第１プレート４１及び第２プレート４２には、それぞれ軸方向に貫通する窓部４１ａ，４２ａが形成されている。窓部４１ａ，４２ａは、円周方向に延びて形成されており、内周部と外周部には、軸方向に切り起こされた切り起こし部が形成されている。これらの窓孔４１ａ，４２ａ及びドライブプレート３７の窓孔３７ａに内周側トーションスプリング２９が収容され、両プレート４１，４２の窓孔４１ａ，４２ａの切り起こし部によって、内周側トーションスプリング２９が支持されている。
【００３８】
第１プレート４１の外周部には、断面Ｃ字状のスプリング支持部４１ｂが形成されている。このスプリング支持部４１ｂの内部に外周側トーションスプリング３１が支持されている。すなわち、スプリング支持部４１ｂは、外周側トーションスプリング３１の径方向外周と、軸方向エンジン側を覆うように設けられている。
【００３９】
また、第２プレート４２の外周部には、トランスミッション側に折り曲げて形成された複数の係止部４２ｂが形成されている。複数の係止部４２ｂは、円周方向に所定の間隔をあけて配置されており、２つの係止部４２ｂの間に外周側トーションスプリング３１が配置されている。
【００４０】
以上のような中間部材３０によって、内周側トーションスプリング２９と外周側トーションスプリング３１とを直列的に作用させることが可能となる。
【００４１】
＜ドリブンプレート３２＞
ドリブンプレート３２は、環状かつ円板状の部材であり、内周部がタービンシェル１５とともにリベット１８によってタービンハブ１７のフランジ１７ａに固定されている。このドリブンプレート３２は、中間部材３０とタービン４との間に配置されている。そして、ドリブンプレート３２の外周部には、外周側トーションスプリング３１の両端に係合する複数の係合部３２ａが形成されている。複数の係合部３２ａは、ドリブンプレート３２の外周部をエンジン側に折り曲げて形成されたものである。
【００４２】
＜ダイナミックダンパ装置３３＞
図３及び図４にダイナミックダンパ装置３３を抽出して示している。ダイナミックダンパ装置３３は、ダンパプレート４５と、第１及び第２イナーシャリング４６，４７と、複数のコイルスプリング（ダイナミックダンパ用弾性部材）４８と、を有している。
【００４３】
ダンパプレート４５は、円板状の部材であり、内周部がリベット４３によって第１プレート４１及び第２プレート４２に固定されている。ダンパプレート４５は、円周方向に所定の間隔で、複数のスプリング収納部４５ａを有している。このスプリング収納部４５ａには、円周方向に所定長さの開口４５ｂが形成されている。
【００４４】
第１及び第２イナーシャリング４６，４７は、外周側トーションスプリング３１のさらに外周側に配置されており、かつ外周側トーションスプリング３１と軸方向において重なる位置に配置されている。また、第１及び第２イナーシャリング４６，４７は、ピストン３５の外周筒状部３５ｃの内周側に配置され、径方向において摩擦部材３６と重なる位置に配置されている。
【００４５】
図５に第１イナーシャリング４６の一部を、図６に第２イナーシャリング４７の一部を、それぞれ示している。
【００４６】
第１イナーシャリング４６には、円周方向に所定の間隔で複数の凹部４６ａが形成されている。この凹部４６ａはエンジン側に凹むように形成されている。そして、凹部４６ａの円周方向の長さはダンパプレート４５の開口４５ｂの長さと同じ長さである。隣接する凹部４６ａの円周方向間には、軸方向に貫通する孔４６ｂと、インロー用突起４６ｃと、が形成されている。孔４６ｂは、両イナーシャリング４６，４７を連結するボルト（図示せず）が貫通する孔である。インロー用突起４６ｃは、孔４６ｂの外周側に形成されており、円周方向に所定の長さを有している。
【００４７】
第２イナーシャリング４７には、円周方向に所定の間隔で複数の凹部４７ａが形成されている。凹部４７ａは、トランスミッション側に凹むように、かつ第１イナーシャリング４６ａに対向して形成されている。凹部４７ａの円周方向の長さはダンパプレート４５の開口４５ｂの長さと同じ長さである。隣接する凹部４７ａの円周方向間には、軸方向に延びるネジ孔４７ｂと、インロー用凹部４７ｃと、が形成されている。ネジ孔４７ｂは、両イナーシャリング４６，４７を連結するボルト（図示せず）が螺合する。インロー用凹部４７ｃは、ネジ孔４７ｂの外周側に形成されており、円周方向に所定の長さを有している。そして、このインロー用凹部４７ｃに第１イナーシャリング４６のインロー用突起４６ｃが係合する。
【００４８】
第１イナーシャリング４６のインロー用突起４６ｃが第２イナーシャリング４７のインロー用凹部４７ｃに係合した状態では、これらの円周方向間、すなわち凹部４６ａ，４７ａが形成された部分を含む所定の角度範囲の間は、軸方向に所定の隙間が形成されている。この隙間に、ダンパプレート４５のスプリング収納部４５ａが差し込まれている。そして、ダンパプレート４５のスプリング収納部４５ａは、両イナーシャリング４６，４７の間の隙間に差し込まれた状態で、所定の角度範囲で相対回転が可能である。
【００４９】
複数のコイルスプリング４８は、それぞれ両イナーシャリング４６，４７の凹部４６ｃ，４７ｃによって形成される収納空間に収納され、かつダンパプレート４５のスプリング収納部４５ａの開口４５ｂに収納されている。
【００５０】
［動作］
まず、トルクコンバータ本体の動作について簡単に説明する。フロントカバー２及びインペラ３が回転している状態では、インペラ３からタービン４へ作動油が流れ、作動油を介してインペラ３からタービン４へトルクが伝達される。タービン４に伝達されたトルクはタービンハブ１７を介してトランスミッションの入力シャフト（図示せず）に伝達される。
【００５１】
トルクコンバータ１の速度比があがり、入力シャフトが一定の回転速度になると、フロントカバー２とピストン３５との間の作動油がドレンされ、ピストン３５のタービン４側に作動油が供給される。すると、ピストン３５はフロントカバー２側に移動させられ、この結果、ピストン３５の外周部に固定された摩擦部材３６がフロントカバー２に押圧され、クラッチ部２８はオンになる。
【００５２】
以上のようなクラッチオン状態では、トルクは、ピストン３５→ドライブプレート３７→内周側トーションスプリング２９→中間部材３０→外周側トーションスプリング３１→ドリブンプレート３２の経路で伝達され、タービンハブ１７に出力される。
【００５３】
ロックアップ装置７においては、トルクを伝達すると共にフロントカバー２から入力されるトルク変動を吸収・減衰する。具体的には、ロックアップ装置７において捩り振動が発生すると、内周側トーションスプリング２９と外周側トーションスプリング３１とがドライブプレート３７とドリブンプレート３２との間で直列に圧縮される。このため、捩り角度を広くすることができる。
【００５４】
［ダイナミックダンパ装置３３の動作］
中間部材３０に伝達されたトルクは、外周側トーションスプリング３１を介してドリブンプレート３２に伝達され、さらにタービンハブ１７を介してトランスミッション側の部材に伝達される。このとき、中間部材３０にはダイナミックダンパ装置３３が設けられているので、エンジンの回転変動を効果的に抑制することができる。すなわち、ダンパプレート４５の回転と２つのイナーシャリング４６，４７との回転は、コイルスプリング４８の作用によって位相にズレが生じる。具体的には、イナーシャリング４６，４７の回転はダンパプレート４５の回転に対して遅れる。この位相のズレによって、回転変動を吸収することができる。
【００５５】
また、本実施形態では、ダイナミックダンパ装置３３を中間部材３０に固定し、ダイナミックダンパ装置３３とタービンハブ１７との間に振動を抑えるための外周側トーションスプリング３１を配置している。この外周側トーションスプリング３１の作用によって、図７に示すように、より効果的に回転変動を抑えることができる。図７において、特性Ｃ１は、エンジンの回転変動を示している。特性Ｃ２はダイナミックダンパ装置をタービンハブに装着し、ダイナミックダンパ装置の出力側に弾性部材（トーションスプリング）がない場合の変動を示している。また、特性Ｃ３は本実施形態のように、ダイナミックダンパ装置を中間部材に装着し、ダイナミックダンパ装置の出力側に弾性部材（外周側トーションスプリング３１）を設けた場合の変動を示している。
【００５６】
図７の特性Ｃ２と特性Ｃ３とを比較して明らかなように、ダイナミックダンパ装置の出力側に弾性部材としてのトーションスプリングを設けた場合は、回転変動のピークが低くなり、かつエンジン回転数の常用域においても回転変動が抑えることができる。
【００５７】
［特徴］
（１）第１及び第２イナーシャリング４６，４７が外周側トーションスプリング３１のさらに外周側に、外周側トーションスプリング３１と軸方向において重なる位置に配置されている。このため、イナーシャリング４６，４７が軸方向において占めるスペースを短縮化でき、ダイナミックダンパ装置３３を含むロックアップ装置全体の軸方向スペースを短縮することができる。
【００５８】
（２）第１及び第２イナーシャリング４６，４７が径方向においてより外周側に配置されているので、両イナーシャリング４６，４７による慣性モーメントを大きくでき、より効果的に回転速度変動を抑えることができる。
【００５９】
（３）第１及び第２イナーシャリング４６，４７の内部にコイルスプリング４８を収容しているので、軸方向におけるダイナミックダンパ装置の占有スペースをさらに短縮できる。そして、コイルスプリング４８を慣性（イナーシャ）として機能させることができ、トルクコンバータ全体の重量を軽くすることができる。
【００６０】
（４）イナーシャリングを軸方向に分割しているので、ダンパプレート４５の差し込み、及びコイルスプリング４８の組付が容易になる。
【００６１】
（５）中間部材３０にダイナミックダンパ装置３３を装着し、ダイナミックダンパ装置３３の出力側に外周側トーションスプリング３１を設けているので、より効果的に回転変動を抑えることができる。
【００６２】
−第２実施形態−
図８に本発明の第２実施形態によるロックアップ装置を有するトルクコンバータ１の断面部分図を示す。第１実施形態と同様に、図８の左側にはエンジン（図示せず）が配置され、図の右側にトランスミッション（図示せず）が配置されている。また、図８に示すＯ−Ｏがトルクコンバータ及びロックアップ装置の回転軸線である。
【００６３】
［トルクコンバータの全体構成］
トルクコンバータ５１は、エンジン側のクランクシャフト（図示せず）からトランスミッションの入力シャフトにトルクを伝達するための装置である。この第２実施形態において、第１実施形態と同様の構成（フロントカバー２、インペラ３、タービン４、ステータ５、トルクコンバータ本体６等）については、同じ符号を付している。したがって、これらの説明を省略する。この第２実施形態では、ロックアップ装置５２が第１実施形態と異なっている。
【００６４】
［ロックアップ装置５２］
ロックアップ装置５２は、フロントカバー２とタービン４との間の環状の空間に配置されている。ロックアップ装置５２は、クラッチ部５４と、複数の外周側トーションスプリング５５と、中間部材５６と、複数の内周側トーションスプリング５７と、ドリブンプレート（出力回転部材）５８と、ダイナミックダンパ装置５９と、を有している。
【００６５】
＜クラッチ部５４＞
図９に示すように、クラッチ部５４は、フロントカバー２に対向して軸方向に移動自在に配置されており、フロントカバー２からのトルクが入力される。クラッチ部５４は、ピストン６１と、摩擦部材６２と、ドライブプレート６３と、を有している。なお、図９は図８におけるロックアップ装置５２を抽出して示したものである。
【００６６】
ピストン６１及び摩擦部材６２は基本的に第１実施形態と同様の構成である。すなわち、ピストン６１は、環状に形成され、円板部６１ａと、内周筒状部６１ｂと、外周筒状部６１ｃと、を有している。そして、第１実施形態と同様に、タービンハブ１７の外周面にはシール部材３９が設けられており、これによりピストン６１の内周筒状部６１ｂとタービンハブ１７の外周面との間がシールされている。
【００６７】
＜ドライブプレート６３及び外周側トーションスプリング５５＞
ドライブプレート６３は、円板状の部材であり、内周部がリベット６５によってピストン６１の円板部６１ａに固定されている。ドライブプレート６３の外周部には、タービン側に折り曲げて形成された複数の係止部６３ａが設けられている。複数の係止部６３ａは外周側トーションスプリング５５の円周方向の両端に係合している。
【００６８】
＜中間部材５６及び内周側トーションスプリング５７＞
中間部材５６は、ピストン６１とタービン４との間に配置されており、第１プレート７１と第２プレート７２とから構成されている。第１プレート７１及び第２プレート７２は、環状かつ円板状の部材であり、ドライブプレート６３及びドリブンプレート５８に対して所定の角度範囲で相対回転自在である。第１プレート７１はエンジン側に配置され、第２プレート７２はトランスミッション側に配置されている。第１プレート７１と第２プレート７２とは、複数のリベット７３により互いに相対回転不能でかつ軸方向に移動不能に連結されている。
【００６９】
第１プレート７１及び第２プレート７２には、それぞれ軸方向に貫通する窓部７１ａ，７２ａが形成されている。窓部７１ａ，７２ａは、円周方向に延びて形成されており、内周部と外周部には、軸方向に切り起こされた切り起こし部が形成されている。これらの窓孔７１ａ，７２ａ及び後述するドリブンプレート５８の窓孔５８ａに内周側トーションスプリング５７が収容され、両プレート７１，７２の窓孔７１ａ，７２ａの切り起こし部によって、内周側トーションスプリング５７が支持されている。
【００７０】
第１プレート７１の外周には、エンジン側に折り曲げて形成された複数の係止部７１ｂが形成されている。複数の係止部７１ｂは、円周方向に所定の間隔をあけて配置されており、２つの係止部７１ｂの間に外周側トーションスプリング５５が配置されている。また、第１プレート７１の係止部７１ｂの内周側には、複数のストッパ爪７１ｃが設けられている。各ストッパ爪７１ｃは、外周側トーションスプリング５５の内周側において、フロントカバー２側に折り曲げて形成され、ドライブプレート６３の複数の係止部６３ａの円周方向間に配置されている。これにより、ストッパ爪７１ｃすなわち中間部材５６は、隣り合う係止部６３ａの間の所定の角度範囲でドライブプレート６３に対して相対回転が可能である。
【００７１】
また、第２プレート７２の外周部には、断面逆Ｃ字状のスプリング支持部７２ｂが形成されている。このスプリング支持部７２ｂの内部に外周側トーションスプリング５５が支持されている。すなわち、スプリング支持部７２ｂは、外周側トーションスプリング５５の径方向外周と、軸方向トランスミッション側を覆うように設けられている。
【００７２】
以上のような中間部材３０によって、外周側トーションスプリング５５と内周側トーションスプリング５７とを直列的に作用させることが可能となる。
【００７３】
＜ドリブンプレート５８＞
ドリブンプレート５８は、環状かつ円板状の部材であり、内周部に複数の窓孔５８ａ及び複数の開口５８ｂを有している。複数の窓孔５８ａは円周方向に所定の間隔で形成されており、前述のように、この窓孔５８ａに内周側トーションスプリング５７が配置されている。複数の開口５８ｂは円周方向に所定の間隔で形成されている。
【００７４】
ドリブンプレート５８は連結部材７５を介してタービンハブ１７に連結されている。連結部材７５は、環状の部材であり、内周部がタービンハブ１７のフランジ１７ａにリベット１８によって固定されている。連結部材７５の外周部は、ピストン６１側に折り曲げられており、先端部がドリブンプレート５８の複数の開口５８ｂに挿入されている。そして、先端部の内周部にワイヤリング７６が装着され、これによりドリブンプレート５８の軸方向の位置決めがなされている。
【００７５】
＜ダイナミックダンパ装置５９＞
ダイナミックダンパ装置５９については、ダンパプレートの中間部材５６への取付方向が第１実施形態と異なる以外は、まったく同様の構成である。したがって、詳細の説明は省略する。
【００７６】
［動作］
トルクコンバータ本体の動作については第１実施形態と同様である。すなわち、ロックアップクラッチがオフの状態では、トルクは、フロントカバー２及びインペラ３から作動油を介してタービン４に伝達され、タービン４に伝達されたトルクはタービンハブ１７を介してトランスミッションの入力シャフトに伝達される。
【００７７】
ロックアップクラッチがオンの状態では、トルクは、ピストン６１→ドライブプレート６３→外周側トーションスプリング５５→中間部材５６→内周側トーションスプリング５７→ドリブンプレート５８の経路で伝達され、タービンハブ１７に出力される。
【００７８】
また、ダイナミックダンパ装置５９の動作についても、第１実施形態とまったく同様であり、ここではその説明を省略する。
【００７９】
この第２実施形態においても、第１実施形態と同様の作用効果を得ることができる。
【００８０】
［他の実施形態］
本発明は以上のような実施形態に限定されるものではなく、本発明の範囲を逸脱することなく種々の変形又は修正が可能である。
【００８１】
（ａ）前記実施形態では、外周側トーションスプリングと内周側トーションスプリングとを連結する中間部材にダイナミックダンパ装置を固定したが、ダイナミックダンパ装置の配置はこれに限定されない。
【００８２】
例えば、２つの外周側トーションスプリングを直列的に作用させるためのフロート部材にダイナミックダンパ装置を固定してもよい。また、同様に、２つの内周側トーションスプリングを直列的に作用させるための部材にダイナミックダンパ装置を固定してもよい。いずれにしても、ダイナミックダンパ装置の出力側にダンパ機構としてのトーションスプリングを配置することによって、副次共振を抑えることができる。
【００８３】
（ｂ）前記実施形態では弾性部材をコイルスプリングによって構成したが、他の樹脂等によって形成された弾性部材を用いてもよい。
【符号の説明】
【００８４】
１，５１  トルクコンバータ
２  フロントカバー
４  タービン
６  トルクコンバータ本体
７，５２  ロックアップ装置
２８，５４  クラッチ部
２９，５７  内周側トーションスプリング
３０，５６  中間部材
３１，５７  外周側トーションスプリング
３７，５８  ドリブンプレート
３３，５９  ダイナミックダンパ装置
３６  摩擦部材
４５  ダンパプレート
４６  第１イナーシャリング
４６ａ  凹部
４７  第２イナーシャリング
４７ａ  凹部
４８  コイルスプリング（ダイナミックダンパ用弾性部材）
【図１】
2015014355.tif 000003
【図２】
2015014355.tif 000004
【図３】
2015014355.tif 000005
【図４】
2015014355.tif 000006
【図５】
2015014355.tif 000007
【図６】
2015014355.tif 000008
【図７】
2015014355.tif 000009
【図８】
2015014355.tif 000010
【図９】
2015014355.tif 000011